(57)【特許請求の範囲】
【請求項１】
リソース割当方法であって、
端末にリソースブロックを割り当てるにあたって、周波数軸に対して少なくとも１以上連続したリソースブロックから構成されるリソースブロック群の数を決定し、
前記決定したリソースブロック群の数に応じた所定数のリソースブロックを、前記リソースブロックの割当単位である割り当て分解能として、前記リソースブロックを割り当てる
ことを特徴とするリソース割当方法。
【請求項２】
前記決定したリソースブロック群の数に応じて、前記所定数のリソースブロックを、前記割当単位として決定することを特徴とする請求項１に記載のリソース割当方法。
【請求項３】
前記決定したリソースブロック群の数に応じて、前記所定数のリソースブロックを、前記割当単位として決定し、
前記周波数帯域幅が増加するに従って、前記割当単位とするリソースブロック数を増やす
ことを特徴とする請求項１に記載のリソース割当方法。
【請求項４】
端末に割り当てることができるリソースブロック群の最大の数に応じて、前記割当単位とするリソースブロック数を決定することを特徴とする請求項１に記載のリソース割当方法。
【請求項５】
リソースブロック群の数に応じて、前記割当単位とするリソースブロック数を決定することを特徴とする請求項１から請求項４のいずれかに記載のリソース割当方法。
【請求項６】
基地局又は端末の通信環境に関する情報、通信環境に影響を与える情報、若しくは通信能力に基づいて、前記割当単位とするリソースブロック数を決定することを特徴とする請求項１から請求項５のいずれかに記載のリソース割当方法。
【請求項７】
決定した前記割当単位とするリソースブロック数で、リソースブロックを割り当てることを特徴とする請求項１から請求項６のいずれかに記載のリソース割当方法。
【請求項８】
決定した前記割当単位とするリソースブロック数で割り当てたリソースブロックをTree Basedで示すためにそのTree Basedの構造を決定する
ことを特徴とする請求項１から請求項７のいずれかに記載のリソース割当方法。
【請求項９】
割り当てたリソースブロックを示す情報のビット数を、Tree Basedの構造に応じて変更することを特徴とする請求項１から請求項８のいずれかに記載のリソース割当方法。
【請求項１０】
割り当てたリソースブロックを示す情報と前記割当単位とするリソースブロック数の情報とを有するスケジューリング情報を端末に通知することを特徴とする請求項１から請求項９のいずれかに記載のリソース割当方法。
【請求項１１】
基地局から送信されたスケジューリング情報の前記割当単位とするリソースブロック数からTree Basedの構造を識別して、スケジューリング情報に示されている、割り当てられたリソースブロックを端末が特定することを特徴とする請求項１０に記載のリソース割当方法。
【請求項１２】
割り当てたリソースブロックを示す情報と、割り当てたリソースブロック群の数を示す情報又は端末に割り当てることができるリソースブロック群の最大の数を示す情報とを端末に通知することを特徴とする請求項１乃至９のいずれかに記載のリソース割当方法。
【請求項１３】
送信されたリソースブロック群の数又はリソースブロック群の最大の数に基づいてTree Basedの構造を識別して、割り当てたリソースブロックを示す情報に示されている、割り当てられたリソースブロックを特定することを特徴とする請求項１２に記載のリソース割当方法。
【請求項１４】
リソース割当方法であって、
周波数軸に対して少なくとも１以上連続したリソースブロックから構成されるリソースブロック群の数を示す割当情報を受信し、
前記割当情報に基づいて、前記リソースブロックの割当単位である割り当て分解能と、前記割り当て分解能に基づいて割り当てられたリソースブロックとを特定する
ことを特徴とするリソース割当方法。
【請求項１５】
無線通信システムであって、
端末にリソースブロックを割り当てるにあたって、周波数軸に対して少なくとも１以上連続したリソースブロックから構成されるリソースブロック群の数を決定するスケジュール手段を有し、
前記スケジュール手段は、前記決定したリソースブロック群の数に応じた所定数のリソースブロックを前記リソースブロックの割当単位である割り当て分解能として前記リソースブロックを割り当てる
ことを特徴とする無線通信システム。
【請求項１６】
前記スケジュール手段は、前記決定したリソースブロック群の数に応じて、前記所定数のリソースブロックを、前記割当単位として決定することを特徴とする請求項１５に記載の無線通信システム。
【請求項１７】
前記スケジュール手段は、前記決定したリソースブロック群の数に応じて、前記所定数のリソースブロックを、前記割当単位として決定し、前記周波数帯域幅が増加するに従って、前記割当単位とするリソースブロック数を増やすことを特徴とする請求項１５に記載の無線通信システム。
【請求項１８】
前記スケジュール手段は、端末に割り当てることができるリソースブロック群の最大の数に応じて、前記割当単位とするリソースブロック数を決定することを特徴とする請求項１５に記載の無線通信システム。
【請求項１９】
前記スケジュール手段は、リソースブロック群の数に応じて、前記割当単位とするリソースブロック数を決定することを特徴とする請求項１５から請求項１８のいずれかに記載の無線通信システム。
【請求項２０】
前記スケジュール手段は、基地局又は移動局の通信環境に関する情報、通信環境に影響を与える情報、若しくは通信能力に基づいて、前記割当単位とするリソースブロック数を決定することを特徴とする請求項１５から請求項１９のいずれかに記載の無線通信システム。
【請求項２１】
前記スケジュール手段は、決定した前記割当単位とするリソースブロック数で、リソースブロックを割り当てることを特徴とする請求項１５から請求項２０のいずれかに記載の無線通信システム。
【請求項２２】
前記スケジュール手段は、決定した前記割当単位とするリソースブロック数で割り当てたリソースブロックをTree Basedで示すためにそのTree Basedの構造を決定することを特徴とする請求項１５から請求項２１のいずれかに記載の無線通信システム。
【請求項２３】
前記スケジュール手段は、割り当てたリソースブロックを示す情報を有するスケジューリング情報のビット数を、Tree Basedの構造に応じて変更することを特徴とする請求項１５から請求項２２のいずれかに記載の無線通信システム。
【請求項２４】
割り当てたリソースブロックを示す情報と前記割当単位とするリソースブロック数の情報とを有するスケジューリング情報を、端末に通知する通知手段を有することを特徴とする請求項１５から請求項２３のいずれかに記載の無線通信システム。
【請求項２５】
基地局から送信されたスケジューリング情報の前記割当単位とするリソースブロック数からTree Basedの構造を識別して、スケジューリング情報に示されている、割り当てられたリソースブロックを端末が特定する手段を有することを特徴とする請求項２４に記載の無線通信システム。
【請求項２６】
割り当てたリソースブロックを示す情報と、割り当てたリソースブロック群の数を示す情報又は端末に割り当てることができるリソースブロック群の最大の数を示す情報とを、端末に通知する通知手段を有することを特徴とする請求項１５から請求項２４のいずれかに記載の無線通信システム。
【請求項２７】
送信されたリソースブロック群の数又はリソースブロック群の最大の数に基づいてTree Basedの構造を識別して、スケジューリング情報に示されている、割り当てられたリソースブロックを特定する手段を有することを特徴とする請求項２６に記載の無線通信システム。
【請求項２８】
基地局であって、
端末にリソースブロックを割り当てるにあたって、周波数軸に対して少なくとも１以上連続したリソースブロックから構成されるリソースブロック群の数を決定するスケジュール手段を有し、
前記スケジュール手段は、前記決定したリソースブロック群の数に応じた所定数のリソースブロックを、前記リソースブロックの割当単位である割り当て分解能として前記リソースブロックを割り当てる
ことを特徴とする基地局。
【請求項２９】
移動局であって、
周波数軸に対して少なくとも１以上連続したリソースブロックから構成されるリソースブロック群の数を示す割当情報を受信する受信手段と、
前記割当情報に基づいて、前記リソースブロックの割当単位である割り当て分解能と、前記割り当て分解能に基づいて割り当てられたリソースブロックとを特定する制御手段と
を有することを特徴とする移動局。
【請求項３０】
前記制御手段は、前記決定したリソースブロック群の数に応じて前記割当単位として決定されたリソースブロックの数を特定することを特徴とする請求項２９に記載の移動局。
【請求項３１】
前記制御手段は、前記決定したリソースブロック群の数が増加するに従って増加するように決定された、前記割当単位であるリソースブロックの数を特定することを特徴とする請求項２９に記載の移動局。
【請求項３２】
基地局のプログラムであって、前記プログラムは前記基地局に、
端末にリソースブロックを割り当てるにあたって、周波数軸に対して少なくとも１以上連続したリソースブロックから構成されるリソースブロック群の数を決定する処理と、
前記決定したリソースブロック群の数に応じた所定数のリソースブロックを、前記リソースブロックの割当単位である割り当て分解能として前記リソースブロックを割り当てる処理と
を実行させることを特徴とするプログラム。
【請求項３３】
移動局のプログラムであって、前記プログラムは前記移動局に、
周波数軸に対して少なくとも１以上連続したリソースブロックから構成されるリソースブロック群の数を示す割当情報を受信する処理と、
前記割当情報に基づいて、前記リソースブロックの割当単位である割り当て分解能と、前記割り当て分解能に基づいて割り当てられたリソースブロックとを特定する処理と
を実行させることを特徴とするプログラム。
【発明の詳細な説明】
【技術分野】
【０００１】
本発明は、スケジューリング時におけるリソース割り当て情報を通知する技術に関する。
【背景技術】
【０００２】
３ＧＰＰ(３rd Generation Partnership Project)のＬＴＥ（Long Term Evolution）の上りリンクではＰＡＰＲ（Peak to Average Power Ratio）の増大を回避し、広いカバレッジを実現するために、無線アクセス方式としてＳＣ(Single Carrier)‐ＦＤＭＡ(Frequency Division Multiple Access)方式が採用されている。このＳＣ‐ＦＤＭＡでは、１伝送タイムインターバル(ＴＴＩ：Transmit Time Interval)内において、周波数軸上で連続なリソースブロック（リソースブロック：複数のサブキャリアから構成される）から構成される周波数ブロックを１移動局あたり１個のみ割り当てることができる。このように周波数ブロック数が少ない場合には、木構造ベース(Tree-Based）（非特許文献１参照）の方法によりリソース割り当ての情報量を最小化できる。このため、ＬＴＥ上りリンクのスケジューリング時における上りリンクリソース割り当て情報（Uplink Scheduling Grant）の通知には、Tree-Basedが用いられている。
【非特許文献１】3GPP R1-070881 NEC Group, NTT DoCoMo“Uplink Resource Allocation for E-UTRA”, ２００７年２月
【発明の開示】
【発明が解決しようとする課題】
【０００３】
広帯域の無線通信では、複数の遅延パスの影響により周波数軸上において伝搬路品質(Channel Quality Indicator：ＣＱＩ)が変動する周波数選択性フェージングが発生する。また、基地局が複数の移動局と通信をするマルチアクセスを考えると、移動局が基地局と通信をする環境はそれぞれ異なるので、それぞれの移動局の周波数領域のＣＱＩは異なる。以上の背景から、ＬＴＥでは、それぞれの移動局における周波数領域のＣＱＩを比較し、ＣＱＩの優れたサブキャリアをそれぞれの移動局に割り当てるスケジューリング（伝搬路依存の周波数スケジューリング：Frequency domain channel dependent scheduling）によりスループットの向上が図られている。【０００４】
ＳＣ‐ＦＤＭＡにおいて伝搬路依存の周波数スケジューリングを行う場合、１ＴＴＩにおいて、１台の移動局にはＣＱＩの良好な周波数ブロック（周波数ブロック：周波数軸上で少なくとも１つ以上の連続したリソースブロオク）が１つのみ割り当てられる。一方、ＬＴＥの下りリンクのアクセス方式として採用されているＯＦＤＭ（Orthogonal Frequency Division Multiplexing）のように非連続なサブキャリア割り当てを行って周波数ブロックの数を増やせば、更なるマルチダイバーシチ効果を実現できスループットが向上する。しかしながら、周波数ブロックの数を大きくする場合、リソースブロック割り当て情報（Scheduling Grant）の通知によるオーバヘッドが大きくなることが考えられる。【０００５】
実際、ＬＴＥの下りリンクのリソースブロック割り当て情報（Downlink Scheduling Grant）の通知には、Bit Map（周波数ブロック数が大きい場合に適した方法）の採用が検討されている。Bit Mapは、ＬＴＥの上りリンクのＲＢ割り当て情報(Uplink Scheduling Grant)の通知に用いられているTree-Based（周波数ブロック数が少ない場合に適した方法）よりもオーバヘッドが大きくなっている。具体的には、１００ ＲＢの中で、リソース割り当てを行う場合、Bit Mapを用いると、周波数ブロックの数によらず１００bitsのスケジューリング情報が必要となる。【０００６】
一方、Tree-Basedを用いると、周波数ブロック数が１つの場合、log2100（100＋1）/2=13bitsのScheduling Grantで良いが、周波数ブロック数が大きくなると、周波数ブロック数が１つの場合と比較して、周波数ブロック数倍の情報量が必要になる。具体的には、周波数ブロック数=１の場合でTree-basedを用いるときのオーバヘッドを上述の１３ビットとすると、周波数ブロック数=２の場合は１３×２=２６ビット、周波数ブロック数=４の場合は１３×４=５２ビットに増加する。このように、一般的に、周波数ブロック数を大きくすることにより、ＲＢの割り当てパターンは多くなるので、Uplink Scheduling Grantの情報量は大きくなる。従って、周波数スケジューリングの効果を上げようとすると、周波数ブロック数が少ない場合に対しシグナリングオーバヘッドが増大する問題がある。【０００７】
そこで、本発明が解決しようとする課題は、マルチユーザダイバーシチの効果を増大させることによって生じるスケジューリング情報のシグナリングオーバヘッドを防ぐ技術を提供することにある。
【課題を解決するための手段】
【０００８】
上記課題を解決するための本発明は、リソース割当方法であって、端末にリソースブロックを割り当てるにあたって、周波数軸に対して少なくとも１以上連続したリソースブロックから構成されるリソースブロック群の数を決定し、前記決定したリソースブロック群の数に応じた所定数のリソースブロックを、前記リソースブロックの割り当て単位である割り当て分解能として、前記リソースブロックを割り当てることを特徴とする。
【０００９】
上記課題を解決するための本発明は、リソース割当方法であって、周波数軸に対して少なくとも１以上連続したリソースブロックから構成されるリソースブロック群の数を示す割り当て情報受信し、前記割当情報に基づいて、前記リソースブロックの割り当て単位である割り当て分解能と、前記割り当て分解能に基づいて割り当てられたリソースブロックとを特定することを特徴とする。
【００１０】
上記課題を解決するための本発明は、無線システムであって、端末にリソースブロックを割り当てるにあたって、周波数軸に対して少なくとも１以上連続したリソースブロックから構成されるリソースブロック群の数を決定するスケジュール手段を有し、前記スケジュール手段は、前記決定したリソースブロック群の数に応じた所定数のリソースブロックを前記リソースブロックの割り当て単位である割り当て分解能として前記リソースブロックを割り当てることを特徴とする。
【００１１】
上記課題を解決するための本発明は、基地局であって、端末にリソースブロックを割り当てるにあたって、周波数軸に対して少なくとも１以上連続したリソー図ブロックから構成されるリソースブロック群の数を決定するスケジュール手段を有し、前記スケジュール手段は前記決定したリソースブロック群の数に応じた所定数のリソースブロックを、前記リソースブロックの割り当て単位である割り当て分解能として前記リソースブロックを割り当てることを特徴とする。
【００１２】
上記課題を解決するための本発明は、移動局であって、周波数軸に対して少なくとも１以上のリソースブロックから構成されるリソースブロック群の数を示す割当情報を受信する受信手段と、前記割当情報に基づいて、前記リソースブロックの割り当て単位である割り当て分解能と、前記割り当て分解能に基づいて、割り当てられたリソースブロックを特定する制御手段とを有することを特徴とする。
【００１３】
上記課題を解決するための本発明は、基地局のプログラムであって、前記プログラムは前記基地局に、端末にリソースブロックを割り当てるにあたって、周波数軸に対して少なくとも１以上連続したリソー図ブロックから構成されるリソースブロック群の数を決定する処理と、前記決定したリソースブロック群の数に応じた所定数のリソースブロックを、前記リソースブロックの割り当て単位である割り当て分解能として前記リソースブロックを割り当てる処理とを実行させることを特徴とする。
【００１４】
上記課題を解決するための本発明は、移動局のプログラムであって、前記プログラムは前記移動局に、周波数軸に対して少なくとも１以上のリソースブロックから構成されるリソースブロック群の数を示す割当情報を受信する処理と、前記割当情報に基づいて、前記リソースブロックの割り当て単位である割り当て分解能と、前記割り当て分解能に基づいて、割り当てられたリソースブロックを特定する処理とを実行させることを特徴とする。
【発明の効果】
【００１５】
本発明によると、状況に応じて適切な割り当て分解能を決定し、これに応じてTree-Basedの構造を変更して割り当てたＲＢの情報をTree-Basedを用いて示しているため、周波数ブロック数の増大に伴うシグナリング量の増大を防ぐことが出来る。
【図面の簡単な説明】
【００１６】
【図１】第１の実施の形態による無線通信システムにおける基地局のブロック図である。
【図２】第１の実施の形態による無線通信システムにおける移動局のブロック図である。
【図３】周波数ブロックと割り当て分解能との対応表の一例である。
【図４】移動局に割り当てられたＲＢの例を示した図である。
【図５】ＵＥ１に割り当てられたＲＢとUL Scheduling Grantの例を示した図である。
【図６】ＵＥ２に割り当てられたＲＢとUL Scheduling Grantの例を示した図である。
【図７】ＵＥ３に割り当てられたＲＢとUL Scheduling Grantの例を示した図である。
【図８】ＵＥ４に割り当てられたＲＢとUL Scheduling Grantの例を示した図である。
【図９】割り当て分解能によって変更するTree Basedを説明する図である。
【図１０】第１の実施の形態のフロー図である。
【図１１】最大周波数ブロックと割り当て分解能に対しリソース割り当て情報のビット数を示した図である。
【図１２】第２の実施の形態のフロー図である。
【図１３】第３の実施の形態による無線通信システムにおける基地局のブロック図である。
【図１４】第３実施の形態による無線通信システムにおける移動局のブロック図である。
【図１５】第３の実施の形態のフロー図である。
【図１６】第３の実施の形態による無線通信システムにおける基地局の別のブロック図である。
【図１７】第３実施の形態による無線通信システムにおける移動局の別のブロック図である。
【図１８】第３の実施の形態による無線通信システムにおける基地局の別のブロック図である。
【図１９】第３実施の形態による無線通信システムにおける移動局の別のブロック図である。
【図２０】リソースブロックの割り当てを説明するための図である。
【図２１】リソースブロックの割り当てを説明するための図である。
【図２２】第４の実施の形態のフロー図である。
【図２３】周波数ブロックを説明するための図である。
【符号の説明】
【００１７】
１００  基地局
１０１  受信部
１０２  上りＲＳ分離部
１０３  上りＣＱＩ測定部
１０４  上りスケジュール部
１０５  最大周波数ブロック数決定部
１０６  上りデータ信号分離部
１０７  上りデータ信号復調部
１０８  上り制御信号分離部
１０９  上り制御信号復調部
１１０  下りスケジュール部
１１１  下り制御信号生成部
１１２  下りＲＳ信号生成部
１１３  下りデータ信号生成部
１１４  多重部
１１５  送信部
１１６  ＵＥ  ＩＤ生成部
２００  移動局
２０１  受信部
２０２  下りＲＳ分離部
２０３  下りＣＱＩ測定部
２０４  下りデータ信号分離部
２０５  下りデータ信号復調部
２０６  下り制御信号分離部
２０７  下り制御信号復調部
２０８  下りスケジューリング情報抽出部
２０９  最大周波数ブロック数抽出部
２１０  上りスケジューリング情報抽出部
２１１  上り制御信号生成部
２１２  上りＲＳ信号生成部
２１３  上りデータ信号生成部
２１４  多重部
２１５  送信部
【発明を実施するための最良の形態】
【００１８】
3rd Generation Partnership Project(3GPP)にて標準化が進められているLong Term Evolution(LTE)では、下りリンクのアクセス方式として、Orthogonal Frequency Division Multiplexing (OFDM)が採用されている。LTEの下りリンクでは、伝搬路依存の周波数スケジューリングが適用され、1伝送タイムインターバル（TTI：Transmit Time Interval）内において周波数軸上で少なくとも１以上の連続なリソースブロック（ＲＢ：複数のサブキャリアから構成される）から構成されるリソースブロック群である周波数ブロックを1移動局あたり複数個割り当てることができる。図２３にLTEの下りリンクのスケジューリングにおける周波数ブロック割当の例を示す。ここでは、システム帯域において１TTI内に４移動局がスケジューリングされる例である。移動局１（UE１）の周波数ブロック数は３、移動局２（UE２）の周波数ブロック数は２、移動局３（UE３）の周波数ブロックは２、移動局４（UE４）の周波数ブロックは１となる。【００１９】
本発明は、上記のような、同一移動局に周波数ブロックを複数個割り当てる基地局が各端末にリソースブロックを割り当てる際に、割り当てるリソースブロックの最小単位（以下、割り当て分解能）を決定し、割り当てたリソースブロックを示すTree Basedの構造を決定することを特徴とする。以下に、本発明の詳細を図面を用いて説明する。【００２０】
<第１の実施の形態>
本実施の形態では、スケジューリング（リソースブロックの割り当て）を行うにあたって決定する周波数ブロックの数に応じて分解能の数を決定する場合について説明する。【００２１】
本実施の形態における、基地局のブロック図を図１に、移動局のブロック図を図２に示す。【００２２】
初めに基地局１００の構成について説明する。【００２３】
基地局１００の受信部１０１は、移動局２００からの信号を受信し、ガードインターバルを用いて上りリンクの同期を確立し、基地局受信信号SRXBを出力する。【００２４】
上りＲＳ（Reference Signal）分離部１０２は、基地局受信信号SRXBから、複数の移動局の上りリンクのＲＳ信号が多重された上りＲＳ信号SURSBを分離し出力する。【００２５】
上りＣＱＩ測定部１０３は、複数の移動局の上りＲＳ信号SURSBを入力とし、それぞれの移動局におけるＲＢ毎のＣＱＩ（Channel Quality Indicator）を算出し、上りＣＱＩ情報SUCQBとして出力する。【００２６】
上りスケジュール部１０４は、移動局毎に上りリンクのスケジューリングを行う。上りスケジュール部１０４は、上りＣＱＩ情報SUCQBに基づいて割り当てるリソースにおける周波数ブロックの数を決定する。具体的には、ＣＱＩが良い状況では周波数ブロック数を大きく決定し、ＣＱＩが悪い状況では周波数ブロック数を小さく決定する。この決定された周波数ブロックの数に応じて決定する割り当て分解能で、且つ決定された周波数ブロックの数でＲＢを割り当てる。割り当て分解能が決定すると、これに応じて、割り当てたＲＢの位置を示すTree-basedの構造が決定する。割り当てたＲＢの位置をTree-basedで示した１周波数ブロック毎のリソース割り当て情報と割り当て分解能の値とを１つのスケジューリング情報として、即ちUL Scheduling Grant SUSCB１つ分、決定したTree-basedの構造に応じたビット数で出力する。また、周波数ブロック数をSUDFBとして出力する。【００２７】
ここで、上りスケジュール部１０４における、具体的な処理を次に説明する。【００２８】
上りスケジュール部１０４では、上りＣＱＩ情報SUCQBに基づいて決定した周波数ブロックの数によって、リソース割り当てにおける最小の周波数帯域幅、即ち、リソースブロックの割り当ての最小単位である割り当て分解能を変化させて設定する。詳細には、周波数ブロックの数が大きいほど、割り当て分解能を大きくするように設定する。【００２９】
以下に、システム帯域を１０個のＲＢとした時に、１ユーザのリソース割り当てに用いるシグナリングBit数が１４bits以内に抑えられる場合の具体例を次に述べる。【００３０】
上りスケジュール部１０４のリソース割り当てでは、図３に示す周波数ブロック数と割り当て分解能との関係を示した対応表を用いてリソース割り当てを行う。この対応表は、通信環境等に応じて設定する。例えば、周波数ブロックの数が大きいほど、割り当て分解能を大きくするように設定する。この関係を用いることで、周波数ブロック数が４以下におけるシグナリングBit数を割り当て分解能の値の通知(２bit)を含めて１４bitsに抑えることが可能である。【００３１】
ＵＥ１、ＵＥ２、ＵＥ３、ＵＥ４の４つの移動局において、ＵＥ１に割り当てられる周波数ブロック数は３、ＵＥ２に割り当てられる周波数ブロック数は２、ＵＥ３に割り当てられる周波数ブロック数は１、ＵＥ４に割り当てられる周波数ブロック数は１とする。このとき、図４に示すリソースブロックを左から右に順番にＲＢ０、ＲＢ１、・・・ＲＢ８、ＲＢ９とすると、ＵＥ１にはＲＢ０、ＲＢ１，ＲＢ６、ＲＢ７、ＲＢ８及びＲＢ９が、ＵＥ２にはＲＢ３及びＲＢ６が、ＵＥ３にはＲＢ２が、ＵＥ４にはＲＢ７がスケジューリングされるとする。図４のスケジューリングと、図３の周波数ブロック数と割り当て分解能の関係を用いた場合について説明する。尚、図５、図６、図７、図８に、ＵＥ１、ＵＥ２、ＵＥ３、ＵＥ４それぞれにおける、ＲＢの割り当て例およびTree-Basedを用いたときのUL Scheduling Grantの例を示す。【００３２】
ＵＥ３およびＵＥ４では、周波数ブロック数は１であるため、図３の対応表を用いると割り当て分解能は１ＲＢとなる。従って、ＵＥ３およびＵＥ４には、リソースブロックを割り当てる際、リソースブロックを１個ずつ且つ周波数ブロック数が１以内になるようにリソースブロックが割り当てられることになる。そして、割り当て分解能を１ＲＢとし、Tree-Basedで全帯域１０ＲＢ内における１つの周波数ブロックに対応するリソースを表記するには、１〜５５（６bits）におけるいずれかの値が必要である。ここで、図７および図８における１周波数ブロックのリソースを示す１〜５５の値は、木構造になるように構成されている。このTree-Basedにおける木構造は、割り当て分解能によって変化する。即ち、UL Scheduling Grantのビット数も変化する。【００３３】
例えば、図９に示すように、割り当て分解能が１ＲＢの場合、木構造は６bitsで表記可能な１〜５５の数列から構成される。また、割り当て分解能が２ＲＢの場合、２リソースブロックを単位にして割り当てられていくので、システム帯域が５個のＲＢである場合と同様の数列で扱える。そのため、木構造は１〜１５の数列から構成される。この木構造を決定された周波数ブロック数と１対１に対応付け、移動局へ割り当て分解能又は周波数ブロック数を通知することにより、Tree-Basedにおける木構造を識別できる。【００３４】
ＵＥ３およびＵＥ４には、周波数ブロック数＝１個の周波数ブロックのみがスケジューリングされるため、ＵＥ３およびＵＥ４には、割り当て分解能の値の通知を含めると、合計で８bits（＝１×６＋２bits）必要になる。ＵＥ３に通知する、リソースの割り当てに関するスケジューリング情報（UL Scheduling Grant）は８bitsになり、割り当て分解能の値“１”と、割り当てたリソースブロックの位置を木構造で示した場合の位置である“２”（図７中の“２”）が通知される。また、ＵＥ４のUL Scheduling Grantは８bitsになり、割り当て分解能の値“１”と、木構造で示した場合の位置である“７”（図８中の“７”）が通知される。【００３５】
ＵＥ２では、周波数ブロック数は２であるため、図３の対応表を用いると割り当て分解能は１ＲＢとなる。割り当て分解能を１ＲＢとし、Tree-Basedで全帯域１０ＲＢ内における１つの周波数ブロックに対応するリソースを表記するには、６bitsで表記可能な１〜５５におけるいずれかの値が必要である。ＵＥ２には、周波数ブロックが２個スケジューリングされるため、ＵＥ２には割り当て分解能の値の通知を含めると、合計で１４bits（＝２×６＋２bits）必要になる。ＵＥ２のUL Scheduling Grantは１４bitsになり、割り当て分解能の値“１”と、割り当てたリソースブロックの位置を木構造で示した場合の位置である“３”及び“６”（図６中の“３”及び“６”）が通知される。【００３６】
また、ＵＥ１では、周波数ブロック数は３であるため、図３の対応表を用いると割り当て分解能は２ＲＢとなる。割り当て分解能を２ＲＢとし、Tree-Basedで全帯域１０ＲＢ内における１つの周波数ブロックに対応するリソースを表記するには、４bitsで表記可能な１〜１５におけるいずれかの値が必要である。ＵＥ１には、周波数ブロック数が３個スケジューリングされるため、割り当て分解能の値の通知を含めると、合計で１４bits（＝３×４＋２bits）必要になる。ＵＥ１のUL Scheduling Grantは１４bitsとなり、割り当て分解能の値“２”と、割り当てたリソースブロックの位置を木構造で示した場合の位置である“０”、“２”及び“４”（図５中の“０”、“２”、及び“４”）が通知される。このように、周波数ブロック数が増大しても、割り当て分解能を大きくすることで、リソース割り当て情報量を１４bits以内に抑えることが出来る。【００３７】
次に、一般的な木構造のリソース割り当て情報の生成法を述べる。割り当て分解能がＰリソースブロック（Ｐは１以上）、周波数ブロック数がn(nは１以上)の場合の例を、式１を用いて説明する。ここで、１周波数ブロックをＰ（割り当て分解能）個の連続したリソースブロックと定義する。リソース割り当て情報は、n個のリソース指示値(ＲＩＶ)から構成される。第n番目の周波数ブロックのリソース指示値RIVｎは、開始の周波数ブロック（ＲＢＧstart,n）と連続する周波数ブロックの長さ（ＬCRBGs,n）とを示す。第n番目のリソース指示値RIVｎは以下の式１で定義される。
（式１）
0005440802.tif 000002
【００３８】
上記のように生成されたUL Scheduling Grant SUSCBは、下り制御信号生成部１１１に入力される。下り制御信号生成部１１１には、他にもDL Scheduling Grant SDSCB、移動局識別情報SUIDBおよび周波数ブロック数が示された周波数ブロック信号SUDFBが入力される。下り制御信号生成部１１１は、これら入力された信号を多重した下りリンクの制御信号をＰＤＣＣＨ(Physical Downlink Control Channel) SDCCBとして生成し出力する。【００３９】
下りＲＳ信号生成部１１２は、下りリンクのＲＳ信号を下りＲＳ信号SDRSBとして生成し出力する。【００４０】
下りデータ信号生成部１１３は、DL Scheduling Grant SDSCBを入力とし、DL Scheduling Grant SDSCBが示すＲＢパターンに従って、複数の移動局の下りリンクのデータ信号を多重し、Physical Downlink Shared Channel(ＰＤＳＣＨ) SDDCBを生成し出力する。【００４１】
多重部１１４は、PDCCH SDCCB、ＲＳ信号SDRSBおよびPDSCH SDDCBを入力とし、これらの信号を多重し、下り多重信号SMUXBとして生成し出力する。【００４２】
送信部１１５は、下り多重信号SMUXBを入力とし、送信信号STXBを生成し出力する。【００４３】
上りデータ信号分離部１０６は、基地局受信信号SRXBを入力とし、複数の移動局の上りリンクのデータ信号が多重されたPhysical Uplink Shared Channel(ＰＵＳＣＨ）SUDCBを抽出し出力する。上りデータ信号復調部は、PUSCH SUDCBを入力し、PUSCH SUDCBを復調し移動局の送信データを再生する。【００４４】
上り制御信号分離部１０８は、基地局受信信号SRXBを入力とし、複数の移動局の上りリンクの制御信号が多重されたPhysical Uplink Control Channel(ＰＵＣＣＨ) SUCCBを抽出し出力する。上り制御信号復調部１０９は、PUCCH SUCCBを復調し、複数の移動局が送信した下りリンクのＣＱＩの測定結果である下りＣＱＩ測定信号SUCQBを出力する。下りスケジュール部１１０は、下りＣＱＩ測定信号SUCQBを入力とし、複数の移動局の下りリンクのスケジューリングを行い、割り当てられたＲＢの情報を示すDL Scheduling Grant SDSCBを生成し出力する。【００４５】
ＵＥ ＩＤ生成部１１６は、移動局識別情報SUIDBを生成し、出力する。【００４６】
続いて、移動局について説明する。図２は本実施の形態の移動局の主要構成を示すブロック図である。【００４７】
移動局２００の受信部２０１は、基地局１００からの信号を受信し、ガードインターバルを用いて下りリンクの同期を確立し、移動局受信信号SRXUを出力する。【００４８】
下りＲＳ（Reference Signal）信号分離部２０２は、移動局受信信号SRXUを入力とし、下りリンクのＲＳ信号が多重された下りＲＳ信号SDRSUを分離し出力する。下りＣＱＩ測定部２０３は、下りＲＳ信号SDRSUを入力とし、ＲＢ毎のＣＱＩを算出し、下りＣＱＩ情報SDCQUとして出力する。【００４９】
下り制御信号分離部２０６は、移動局受信信号SRXUを入力とし、複数の移動局の下りリンクの制御信号が多重されたPDCCH SDCCUを分離し出力する。【００５０】
下り制御信号復調部２０７は、PDCCH SDCCUを入力とし、PDCCH SDCCUを復調して下りリンクの制御信号を再生し、自移動局に対応する移動局識別情報が多重されている再生結果を分離し、下り制御再生信号SDCMUとして出力する。尚、自移動局に対するＰＤＣＣＨは１つのみ多重されている。さらに、下り制御信号復調部２０７は、PDCCH SDCCUを復調して下りリンクの制御信号を再生した結果において、誤りがあるかどうかを判断し、誤りが無ければＡＣＫを、誤りがあればＮＡＣＫを示す信号を、下り制御信号判定信号SDAKUとして生成し出力する。なお、下り制御信号判定信号SDSKUは、移動局２００から基地局１００へ通知され、下り制御信号判定信号SDAKUがNACKであれば、基地局１００は、移動局２００に対応するＰＤＣＣＨを再送する。【００５１】
下りスケジューリング情報抽出部２０８は、下り制御再生信号SDCMUを入力とし、下りリンクのリソース割り当て情報に対応する下りＲＢ割り当て判定情報 SDSCUを抽出し出力する。【００５２】
上りスケジューリング情報抽出部２１０は、下り制御再生信号SDCMUから、上りリンクのＲＢが割り当てられた情報を示すUL Scheduling Grantを抽出する。次に、UL Scheduling Grantに含まれている割り当て分解能の値からTree-Basedの木構造を識別し、この木構造において、上りＲＢ割り当て情報が示すＲＢを特定し、上りＲＢ割り当て判定情報SUSCUとして出力する。【００５３】
上り制御信号生成部２１１は、上りＲＢ割り当て判定情報SUSCUと下りＣＱＩ情報SDCQUを入力とし、下りＣＱＩ情報SDCQUを、上りＲＢ割り当て判定情報SUSCUが示す予め決められた制御信号用のリソースに多重したPhysical Uplink Control Channel(ＰＵＣＣＨ) SUCCUを生成し出力する。【００５４】
上りＲＳ信号生成部２１２は、上りＲＢ割り当て判定情報SUSCUを入力とし、上りＲＢ割り当て判定情報SUSCUにおいて、予め決められたＲＳ用のリソースを用いて、上りリンクＲＳ送信信号SURSUを生成し出力する。【００５５】
上りデータ信号生成部２１３は、上りＲＢ割り当て判定情報SUSCUを入力とし、上りＲＢ割り当て判定情報SUSCUにおいて、予め決められたデータ信号用のリソースを用いて、PhysicalUplink Shared Channel(ＰＵＳＣＨ) SUDCUを生成し出力する。【００５６】
多重部２１４は、PUCCH SUCCU、上りリンクＲＳ送信信号SURSU、PUSCH SUDCUおよび下り制御信号判定信号SDAKUを入力とし、これらの信号を多重し、移動局多重信号SMUXUを生成し出力する。送信部２１５は、移動局多重信号SMUXUを入力とし、移動局送信信号SMUXUを生成し、基地局１００へ送信する。【００５７】
下りデータ信号分離部２０４は、下りＲＢ割り当て受信信号SDSCUと移動局受信信号SRXUを入力とし、下りＲＢ割り当て判定情報SDSCUを基に、自移動局に割り当てられた下りリンクのＲＢに多重されたPDSCH SDDCUを分離し出力する。下りデータ信号復調部２０５は、PDSCH SDDCUを入力とし、PDSCH SDDCUを復調し基地局から自移動局への送信データを再生する。【００５８】
続いて、本実施の形態の動作を図１０のフローを用いて説明する。【００５９】
基地局１００の受信部１０１は、移動局２００からの信号を受信し、ガードインターバルを用いて上りリンクの同期を確立し、基地局受信信号SRXBを出力する（ステップＳ１）。【００６０】
出力された基地局受信信号SRXBから、上りＲＳ（Reference Signal）分離部１０２は、複数の移動局の上りリンクのＲＳ信号が多重された上りＲＳ信号SURSBを分離し出力する（ステップＳ２）。【００６１】
複数の移動局の上りＲＳ信号SURSBから、上りＣＱＩ測定部１０３がそれぞれの移動局におけるＲＢ毎のＣＱＩ（Channel Quality Indicator）を算出し、上りＣＱＩ情報SUCQBとして出力する（ステップＳ３）。【００６２】
上りスケジュール部１０４は、移動局毎の上りＣＱＩ情報SUCQBに基づいて、各移動局に割り当てるリソースにおける周波数ブロックの数を決定する（ステップＳ４）。【００６３】
自装置において保持している図３のような対応表を用いて、決定した周波数ブロックの数に対応付けられている割り当て分解能を決定することによりTree-basedの構造を決定し、UL Scheduling Grantのビット数を決定したTree-basedの構造に応じたビット数になるように設定する（ステップＳ５）。【００６４】
決定された割り当て分解能の個数ずつのリソ-スブロックで且つ決定された周波数ブロックの数でＲＢを割り当てる（ステップＳ６）。【００６５】
次に、上りスケジュール部１０４は、割り当てたＲＢの位置をTree Basedで示したスケジューリング情報と割り当て分解能の値とをUL Scheduling Grant SUSCBとして設定されたビット数で出力し、周波数ブロック数をSUDFBとして出力する（ステップＳ７）。【００６６】
下り制御信号生成部１１１は、UL Scheduling Grant SUSCB、DL Scheduling Grant SDSCB、移動局識別情報SUIDBおよび周波数ブロック信号SUDFBが入力され、これら入力された信号を多重した下りリンクの制御信号をＰＤＣＣＨ(Physical Downlink Control Channel) SDCCBとして生成し出力する（ステップＳ８）。【００６７】
下りＲＳ信号生成部１１２は、下りリンクのＲＳ信号を下りＲＳ信号SDRSBとして生成し出力し、下りデータ信号生成部１１３は、DL Scheduling Grant SDSCBを入力とし、DL Scheduling Grant SDSCBが示すＲＢパターンに従って、複数の移動局の下りリンクのデータ信号を多重し、Physical Downlink Shared Channel(ＰＤＳＣＨ) SDDCBを生成し出力する（ステップＳ９）。【００６８】
多重部１１４は、PDCCH SDCCB、ＲＳ信号SDRSBおよびPDSCH SDDCBを入力とし、これらの信号を多重し、下り多重信号SMUXBとして生成して出力し、送信部１１５は、下り多重信号SMUXBを入力として送信信号STXBを生成し出力する（ステップＳ１０）。【００６９】
移動局２００の受信部２０１は、基地局１００からの信号を受信し、ガードインターバルを用いて下りリンクの同期を確立し、移動局受信信号SRXUを出力する（ステップＳ１１）。【００７０】
下りＲＳ（Reference Signal）信号分離部２０２は、移動局受信信号SRXUを入力とし、下りリンクのＲＳ信号が多重された下りＲＳ信号SDRSUを分離し、下りＣＱＩ測定部２０３はこの下りＲＳ信号SDRSUを入力としてＲＢ毎のＣＱＩを算出し、下りＣＱＩ情報SDCQUとして出力する（ステップＳ１２）。【００７１】
下り制御信号分離部２０６は、移動局受信信号SRXUを入力とし、複数の移動局の下りリンクの制御信号が多重されたPDCCH SDCCUを分離し、下り制御信号復調部２０７はPDCCH SDCCUを復調して下りリンクの制御信号を再生し、自移動局に対応する移動局識別情報が多重されている再生結果を分離し、下り制御再生信号SDCMUとして出力する（ステップＳ１３）。【００７２】
下りスケジューリング情報抽出部２０８は、下り制御再生信号SDCMUを入力とし、下りリンクのリソース割り当て情報に対応する下りＲＢ割り当て判定情報 SDSCUを抽出し出力する（ステップＳ１４）。【００７３】
上りスケジューリング情報抽出部２１０は、下り制御再生信号SDCMUから、上りリンクのＲＢが割り当てられた情報を示すUL Scheduling Grantを抽出して割り当て分解能の値を確認する（ステップＳ１５）。【００７４】
次に、割り当て分解能の値からTree-Basedの木構造を識別し、この木構造において、上りＲＢ割り当て情報が示すＲＢを特定し、上りＲＢ割り当て判定情報SUSCUとして出力する（ステップＳ１６）。【００７５】
上り制御信号生成部２１１は、上りＲＢ割り当て判定情報SUSCUと下りＣＱＩ情報SDCQUを入力とし、下りＣＱＩ情報SDCQUを上りＲＢ割り当て判定情報SUSCUが示す予め決められた制御信号用のリソースに多重したPhysical Uplink Control Channel(ＰＵＣＣＨ) SUCCUを生成し出力する（ステップＳ１７）。【００７６】
上りＲＳ信号生成部２１２は、上りＲＢ割り当て判定情報SUSCUを入力とし、上りＲＢ割り当て判定情報SUSCUにおいて、予め決められたＲＳ用のリソースを用いて、上りリンクＲＳ送信信号SURSUを生成し出力する（ステップＳ１８）。【００７７】
上りデータ信号生成部２１３は、上りＲＢ割り当て判定情報SUSCUを入力とし、上りＲＢ割り当て判定情報SUSCUにおいて、予め決められたデータ信号用のリソースを用いて、Physical Uplink Shared Channel(ＰＵＳＣＨ) SUDCUを生成し出力する（ステップＳ１９）。【００７８】
多重部２１４は、PUCCH SUCCU、上りリンクＲＳ送信信号SURSU、PUSCH SUDCUおよび下り制御信号判定信号SDAKUを入力とし、これらの信号を多重し、移動局多重信号SMUXUを生成し、送信部２１５は移動局送信信号SMUXUを基地局１００へ送信する（ステップＳ２０）。【００７９】
尚、上記実施の形態では、移動局の伝搬路の品質状況（Soundingリファレンス信号で測定したCQI）から周波数ブロック数を決定する形態を用いて説明したが、例えば、セルサイズやシステム帯域幅、基地局のカバレッジ、上りSoundingリファレンス信号の帯域幅、上りデータ送信に用いた帯域幅、上りデータ送信に用いた変調多値数および符号化率、移動局の送受信可能帯域幅（UE capabilityとも言う）、上り送信データの種類(VoIP, HTTP, FTP etc.)等の通信環境に関する情報や、ユーザが契約している料金体系、パワーヘッドルーム（パワーヘッドルームとは移動局の最大送信電力と移動局の実際の送信電力の差である。）、上りパワーコントロールのターゲットSINR等の通信環境に影響を与える情報であってもよい。また、上記のセルサイズは、基地局の位置、基地局間の距離、干渉電力等の通信環境に影響を与える情報によって決定されるため、これらの情報を用いて周波数ブロック数を選択しても良い。【００８０】
また、上記実施の形態では、移動局の伝搬路の品質状況から周波数ブロック数を決定し、この周波数ブロックに応じて割り当て分解能を設定している構成を用いて説明したが、移動局の伝搬路の品質状況や上記通信環境に関する情報や通信環境に影響を与える情報に応じて割り当て分解能を設定する構成であっても良い。また、上記実施の形態では、周波数ブロック数はPhysical Downlink Control Channel (ＰＤＣＣＨ)で通知される場合を用いて説明したが、このほかにもＰＢＣＨ（Physical Broadcast Channel）、Dynamic BCHと呼ばれるＰＤＳＣＨ（Physical Downlink Shared Channel）等にマッピングされるHigher layerの制御信号で通知される。この場合、基地局の下り制御信号生成部１１１に設けられているＰＢＣＨ生成部又はＰＤＳＣＨ生成部（共に図示せず）に周波数ブロック数SUDFBが入力され、ＰＢＣＨ又はＰＤＳＣＨによって移動局に通知される。また、また、上りリンクおよび下りリンクの制御信号の情報は、１msec程度のフレーム単位で変化するため、これらの変化に合わせて割り当て分解能を変化させると、端末の処理が複雑になる問題がある。このため、割り当て分解能は、複数フレーム周期で変更するように制限を加えても良い。【００８１】
また、上記実施の形態では、上りスケジュール部１０４は、決定された割り当て分解能の個数ずつのリソ-スブロックで且つ決定された周波数ブロックの数でＲＢを割り当てる形態を用いて説明したが、決定された割り当て分解能の個数ずつのリソ-スブロックで且つ決定された周波数ブロックの数以内になるようにＲＢを割り当てる形態であっても良い。【００８２】
また、上記では、説明の簡略のため、システム帯域を１０個のＲＢとして説明したが、システム帯域２０MHzの実際のLTEシステムの場合におけるビット数削減効果を説明する。複数の周波数ブロックの割り当てが可能なLTEの下りリンクと同様に、システム帯域２０MHz(ＲＢ数＝１００)において、Tree Basedを用いて通知する場合の１周波数ブロックに対して必要なビット数はlog2100（100＋1）/2=13ビットである。したがって、実際のLTEの下りで規定されているスケジューリング情報の上限である３７ビットを超えないように、図３に示されるような周波数ブロック数と割り当て分解能との対応表を設定する。尚、図１１には、１〜４の周波数ブロック数それぞれについて、Tree-Basedを用いて周波数ブロック数個の周波数ブロックのＲＢパターンを通知するために必要なビット数を示している。このように、本発明では、周波数ブロック数と割り当て分解能との対応関係を環境に応じて設定できるので、スケジューリング情報のシグナリングビット数を割り当て分解能の通知(２bit)を含めて、規定されている上限である３７bits以下の３５bitsに抑えることが可能である。【００８３】
上述の通り、伝搬路の品質が良い移動局は周波数ブロック数を大きくし、伝搬路の品質が悪い移動局は周波数ブロック数を小さくし、これに応じて割り当て分解能を決定している。これは、伝搬路の品質が良い移動局の場合は低い電力密度で送信するため広い帯域で送信でき、全体的に伝搬路品質が良好なため、周波数ブロック数と共に割り当て分解能を大きくしても伝搬路品質が低下することがないからである。一方、伝搬路の品質が悪い移動局の場合は高い電力密度で送信するため狭い帯域で送信し、全体的に伝搬路品質が劣悪である故に、中でも良好なリソースを正確に選ぶため、周波数ブロック数とともに割り当て分解能も小さくする必要があるからである。このように、割り当て分解能と周波数ブロック数と移動局の伝搬路の品質とを対応付ければ、割り当て分解能を設定することによる受信特性の低下を抑えることが出来る。【００８４】
<第２の実施の形態>
上記実施の形態では、基地局が割り当て分解能の値をUL Scheduling Grantに記して移動局に通知する場合について説明した。本実施の形態では、基地局が割り当て分解能を周波数ブロック数に１対１に対応付けて設定し、移動局が通知された周波数ブロック数から割り当て分解能を認識する場合について述べる。尚、上記実施の形態と同様の構成については同一番号を付し、詳細な説明は省略する。【００８５】
基地局１００の上りスケジュール部１０４は、それぞれの移動局毎に上りリンクのスケジューリングを行う。上りスケジュール部１０４は、上りＣＱＩ情報SUCQBに基づいて割り当てるリソースにおける周波数ブロックの数を決定する。この決定された周波数ブロックの数に応じて設定される割り当て分解能で、且つ決定された周波数ブロックの数で、ＲＢを割り当てる。割り当てたＲＢの位置を示すスケジューリング情報をUL Scheduling Grant SUSCBとして、周波数ブロック数をSUDFBとして出力する。【００８６】
基地局１００の下り制御信号生成部１１１は、UL Scheduling Grant SUSCB、DL Scheduling Grant SDSCB、移動局識別情報SUIDBおよび周波数ブロック信号SUDFBを入力とし、これらを多重した下りリンクの制御信号をＰＤＣＣＨ(Physical Downlink Control Channel) SDCCBとして生成し出力する。尚、周波数ブロック数は、Physical Downlink Control Channel (ＰＤＣＣＨ)で通知されるほかにも、ＰＢＣＨ、ＰＤＳＣＨ等で通知される。【００８７】
移動局２００の下り制御信号復調部２０７は、PDCCH SDCCUを入力とし、PDCCH SDCCUを復調して下りリンクの制御信号を再生し、自移動局に対応する移動局識別情報が多重されている再生結果を分離し、下り制御再生信号SDCMUとして出力する。【００８８】
移動局２００の上りスケジューリング情報抽出部２１０は、下り制御再生信号SDCMUから、上りリンクのＲＢが割り当てられた情報を示すUL Scheduling Grantおよび周波数ブロック信号SUDFUを抽出する。次に、周波数ブロック信号SUDFUと自移動局が保持している対応表とから、周波数ブロック数と１対１に対応付けた割り当て分解能を認識する。この割り当て分解能からTree-Basedの木構造を識別し、この木構造において、上りＲＢ割り当て情報が示すＲＢを特定し、上りＲＢ割り当て判定情報SUSCUとして出力する。【００８９】
続いて、本実施の形態の動作を図１２のフローを用いて説明する。【００９０】
基地局１００の受信部１０１は、移動局２００からの信号を受信し、ガードインターバルを用いて上りリンクの同期を確立し、基地局受信信号SRXBを出力する（ステップＳ１）。【００９１】
出力された基地局受信信号SRXBから、上りＲＳ（Reference Signal）分離部１０２は、複数の移動局の上りリンクのＲＳ信号が多重された上りＲＳ信号SURSBを分離し出力する（ステップＳ２）。【００９２】
複数の移動局の上りＲＳ信号SURSBから、上りＣＱＩ測定部１０３がそれぞれの移動局におけるＲＢ毎のＣＱＩ（Channel Quality Indicator）を算出し、上りＣＱＩ情報SUCQBとして出力する（ステップＳ３）。【００９３】
上りスケジュール部１０４は、移動局毎の上りＣＱＩ情報SUCQBに基づいて、各移動局に割り当てるリソースにおける周波数ブロックの数を決定する（ステップＳ４）。【００９４】
自装置において保持している図３のような対応表を用いて、決定した周波数ブロックの数に対応付けられている割り当て分解能を決定することによりTree-basedの構造も決定し、UL Scheduling Grantのビット数を決定したTree-basedの構造に応じたビット数になるように設定する（ステップＳ５）。【００９５】
決定された割り当て分解能の個数ずつのリソ-スブロックで且つ決定された周波数ブロックの数で、ＲＢを割り当てる（ステップＳ６）。【００９６】
次に、上りスケジュール部１０４は、割り当てたＲＢの位置をTree Basedで示したスケジューリング情報をUL Scheduling Grant SUSCBとして設定されたビット数で出力し、周波数ブロック数をSUDFBとして出力する（ステップＳ７−１）。【００９７】
下り制御信号生成部１１１は、UL Scheduling Grant SUSCB、DL Scheduling Grant SDSCB、移動局識別情報SUIDBおよび周波数ブロック信号SUDFBが入力され、これら入力された信号を多重した下りリンクの制御信号をＰＤＣＣＨ(Physical Downlink Control Channel) SDCCBとして生成し出力する（ステップＳ８）。【００９８】
下りＲＳ信号生成部１１２は、下りリンクのＲＳ信号を下りＲＳ信号SDRSBとして生成し出力し、下りデータ信号生成部１１３はDL Scheduling Grant SDSCBを入力とし、DL Scheduling Grant SDSCBが示すＲＢパターンに従って、複数の移動局の下りリンクのデータ信号を多重し、Physical Downlink Shared Channel(ＰＤＳＣＨ) SDDCBを生成し出力する（ステップＳ９）。【００９９】
多重部１１４は、PDCCH SDCCB、ＲＳ信号SDRSBおよびPDSCH SDDCBを入力とし、これらの信号を多重し、下り多重信号SMUXBとして生成し出力し、これを送信部１１５が送信する（ステップＳ１０）。【０１００】
移動局２００の受信部２０１は、基地局１００からの信号を受信し、ガードインターバルを用いて下りリンクの同期を確立し、移動局受信信号SRXUを出力する（ステップＳ１１）。【０１０１】
下りＲＳ（Reference Signal）信号分離部２０２は、移動局受信信号SRXUを入力とし、下りリンクのＲＳ信号が多重された下りＲＳ信号SDRSUを分離して、下りＣＱＩ測定部２０３は、下りＲＳ信号SDRSUからＲＢ毎のＣＱＩを算出し、下りＣＱＩ情報SDCQUとして出力する（ステップＳ１２）。【０１０２】
下り制御信号分離部２０６は、移動局受信信号SRXUを入力とし、複数の移動局の下りリンクの制御信号が多重されたPDCCH SDCCUを分離し出力し、下り制御信号復調部２０７は、PDCCH SDCCUを復調して下りリンクの制御信号を再生し、自移動局に対応する移動局識別情報が多重されている再生結果を分離し、下り制御再生信号SDCMUとして出力する（ステップＳ１３）。【０１０３】
下りスケジューリング情報抽出部２０８は、下り制御再生信号SDCMUを入力とし、下りリンクのリソース割り当て情報に対応する下りＲＢ割り当て判定情報 SDSCUを抽出し出力する（ステップＳ１４）。【０１０４】
上りスケジューリング情報抽出部２１０は、下り制御再生信号SDCMUから、上りリンクのＲＢが割り当てられた情報を示すUL Scheduling Grantと周波数ブロック信号SUDFUを抽出し、周波数ブロック信号SUDFUが示す周波数ブロックの数に基づいて割り当て分解能の値を認識する（ステップＳ１５−１）。【０１０５】
次に、割り当て分解能の値からTree-Basedの木構造を識別し、この木構造において、上りＲＢ割り当て情報が示すＲＢを特定し、上りＲＢ割り当て判定情報SUSCUとして出力する（ステップＳ１６）。【０１０６】
上り制御信号生成部２１１は、上りＲＢ割り当て判定情報SUSCUと下りＣＱＩ情報SDCQUを入力とし、下りＣＱＩ情報SDCQUを、上りＲＢ割り当て判定情報SUSCUが示す予め決められた制御信号用のリソースに多重したPhysical Uplink Control Channel(ＰＵＣＣＨ) SUCCUを生成し出力する（ステップＳ１７）。【０１０７】
上りＲＳ信号生成部２１２は、上りＲＢ割り当て判定情報SUSCUを入力とし、上りＲＢ割り当て判定情報SUSCUにおいて、予め決められたＲＳ用のリソースを用いて、上りリンクＲＳ送信信号SURSUを生成し出力する（ステップＳ１８）。【０１０８】
上りデータ信号生成部２１３は、上りＲＢ割り当て判定情報SUSCUを入力とし、上りＲＢ割り当て判定情報SUSCUにおいて、予め決められたデータ信号用のリソースを用いて、Physical Uplink Shared Channel(ＰＵＳＣＨ) SUDCUを生成し出力する（ステップＳ１９）。【０１０９】
多重部２１４は、PUCCH SUCCU、上りリンクＲＳ送信信号SURSU、PUSCH SUDCUおよび下り制御信号判定信号SDAKUを入力とし、これらの信号を多重し、移動局多重信号SMUXUを生成し、送信部２１５が移動局送信信号SMUXUを基地局１００へ送信する（ステップＳ２０）。【０１１０】
尚、他の方法としては、割り当て分解能を、移動局が基地局に通知した上りリンクの制御信号における下りリンクのＣＱＩ情報や移動局の位置情報、基地局が移動局に通知した下りリンクの制御信号におけるＭＣＳ(Modulation and Coding Scheme)やパワーコントロールのターゲット値等に１対１に対応付ける方法がある。これらの制御信号における情報と割り当て分解能を対応付けることにより、基地局と移動局とで割り当て分解能を共有できる。また、基地局から通知された周波数ブロック数からTree-Basedの木構造を識別してもよい。【０１１１】
本実施の形態によると、割り当て分解能の値を通知しないので、この割り当て分解能の値の通知分(２bit)のシグナリングBit数を減らすことができる。【０１１２】
<第３の実施の形態>
上記実施の形態では、スケジュール部１０４が決定した周波数ブロック数に応じて、割り当て分解能を決定する場合を用いて説明した。本実施の形態では、最大周波数ブロック数決定部１０５が、上りＣＱＩに応じて決定した最大周波数ブロック数に応じて、割り当て分解能を決定する場合について述べる。尚、上記実施の形態と同様の構成については同一番号を付し、詳細な説明は省略する。【０１１３】
図１３は、本実施の形態における基地局１００のブロック図である。上述の実施形態と比較すると、最大周波数ブロック数決定部１０５が構成されている点が異なる。【０１１４】
最大周波数ブロック数決定部１０５は、上りＣＱＩ情報SUCQBを入力とし、それぞれの移動局に割り当てるリソースブロックにおける最大の周波数ブロック数を決定し、それぞれの移動局の最大周波数ブロック信号SUDFBを生成し出力する。【０１１５】
例えば、DFT-spread-OFDM（Discrete Fourier Transform ‐ spread - Orthogonal Frequency Division Multiplexing）における送信側のDFT（Discrete Fourier Transform）からの出力を少なくとも１個以上の周波数ブロックに割り当てるＭＣ−ＦＤＭＡにおいては、周波数ブロック数が大きくなるほどPAPRが大きくなるため、周波数ブロック数に制限を加えなければセル端の移動局のPAPR増大が問題となる。そのため、基地局または移動局のシステム情報などに基づき、許容できる最大周波数ブロック数を基地局（セル）、移動局、又は移動局のグループごとに設定する場合がある。そのため、最大周波数ブロック数決定部１０５は、マルチユーザダイバーシチ効果を大きくしたい状況（システム帯域が広い、またはＣＱＩが良い状況など）では、最大の周波数ブロック数を大きく設定し、オーバヘッドの増加を抑えたい状況（システム帯域が狭い、またはＣＱＩが悪い状況など）では、最大の周波数ブロック数を小さく設定する。【０１１６】
上りスケジュール部１０４は、移動局毎に上りリンクのスケジューリングを行う。上りスケジュール部１０４は、上りＣＱＩ情報SUCQBと最大周波数ブロック信号SUDFBとを入力とし、割り当てるリソースブロックにおける最大の周波数ブロック数を最大周波数ブロック信号SUDFBが示す数以内に制限し、最大周波数ブロック信号SUDFBに対応した割り当て分解能で、ＲＢの割り当てを行う。そして、割り当てたＲＢの位置を示すスケジューリング情報であるスケジューリング情報と最大周波数ブロック数とをUL Scheduling Grant SUSCBとして出力する。【０１１７】
続いて、移動局２００について説明する。図１４は、本実施の形態における移動局２００のブロック図である。上述の実施形態と比較すると、最大周波数ブロック数抽出部２０９が構成されている点が異なる。【０１１８】
最大周波数ブロック数抽出部２０９は、下り制御再生信号SDCMUを入力とし、自移動局の最大周波数ブロック受信信号SUDFUを分離し出力する。【０１１９】
上りスケジューリング情報抽出部２１０は、下り制御再生信号SDCMUから、上りリンクのＲＢが割り当てられた情報を示すUL Scheduling Grantを抽出する。次に、最大周波数ブロック数抽出部２０９から出力された最大周波数ブロック受信信号SUDFUから、最大周波数ブロック受信信号SUDFUと１対１に対応付けた割り当て分解能を識別する。この割り当て分解能からTree-Basedの木構造を識別し、この木構造において、上りＲＢ割り当て情報が示すＲＢを特定し、上りＲＢ割り当て判定情報SUSCUとして出力する。【０１２０】
続いて、本実施の形態の動作を図１５のフローを用いて説明する。【０１２１】
基地局１００の受信部１０１は、移動局２００からの信号を受信し、ガードインターバルを用いて上りリンクの同期を確立し、基地局受信信号SRXBを出力する（ステップＳ１）。【０１２２】
出力された基地局受信信号SRXBから、上りＲＳ（Reference Signal）分離部１０２は、複数の移動局の上りリンクのＲＳ信号が多重された上りＲＳ信号SURSBを分離し出力する（ステップＳ２）。【０１２３】
複数の移動局の上りＲＳ信号SURSBから、上りＣＱＩ測定部１０３がそれぞれの移動局におけるＲＢ毎のＣＱＩ（Channel Quality Indicator）を算出し、上りＣＱＩ情報SUCQBとして出力する（ステップＳ３）。【０１２４】
上りＣＱＩ情報SUCQBに基づいて、最大周波数ブロック数決定部１０５は、それぞれの移動局に割り当てるリソースブロックにおける最大の周波数ブロック数を決定し、それぞれの移動局の最大周波数ブロック信号SUDFBを生成し出力する（ステップＳ４−１）。【０１２５】
上りスケジュール部１０４は、自装置において保持している図３のような対応表を用いて、最大周波数ブロック信号SUDFBに示されている最大周波数ブロック数に対応付けられている割り当て分解能を決定することによりTree basedの構造も決定し、UL Scheduling Grantのビット数を決定したTree basedの構造に応じたビット数になるように設定する（ステップＳ５）。【０１２６】
決定された割り当て分解能の個数ずつのリソ-スブロックで且つ決定された周波数ブロックの数以内になるようにＲＢを割り当てる（ステップＳ６）。【０１２７】
次に、上りスケジュール部１０４は、割り当てたＲＢの位置を示すスケジューリング情報と最大周波数ブロック数とをUL Scheduling Grant SUSCBとして設定されたビット数で出力する（ステップＳ７−２）。【０１２８】
下り制御信号生成部１１１は、UL Scheduling Grant SUSCB、DL Scheduling Grant SDSCB、移動局識別情報SUIDBおよび最大周波数ブロック信号SUDFBが入力され、これら入力された信号を多重した下りリンクの制御信号をＰＤＣＣＨ(Physical Downlink Control Channel) SDCCBとして生成し出力する（ステップＳ８）。【０１２９】
下りＲＳ信号生成部１１２は、下りリンクのＲＳ信号を下りＲＳ信号SDRSBとして生成し出力し、下りデータ信号生成部１１３は、DL Scheduling Grant SDSCBを入力とし、DL Scheduling Grant SDSCBが示すＲＢパターンに従って、複数の移動局の下りリンクのデータ信号を多重し、Physical Downlink Shared Channel(ＰＤＳＣＨ) SDDCBを生成し出力する（ステップＳ９）。【０１３０】
多重部１１４は、PDCCH SDCCB、ＲＳ信号SDRSBおよびPDSCH SDDCBを入力とし、これらの信号を多重し、下り多重信号SMUXBとして生成し、送信部１１５は、下り多重信号SMUXBから送信信号STXBを生成し出力する（ステップＳ１０）。【０１３１】
移動局２００の受信部２０１は、基地局１００からの信号を受信し、ガードインターバルを用いて下りリンクの同期を確立し、移動局受信信号SRXUを出力する（ステップＳ１１）。【０１３２】
下りＲＳ（Reference Signal）信号分離部２０２は、移動局受信信号SRXUを入力とし、下りリンクのＲＳ信号が多重された下りＲＳ信号SDRSUを分離し、下りＣＱＩ測定部２０３は、下りＲＳ信号SDRSUを入力とし、ＲＢ毎のＣＱＩを算出し、下りＣＱＩ情報SDCQUとして出力する（ステップＳ１２）。【０１３３】
下り制御信号分離部２０６は、移動局受信信号SRXUを入力とし、複数の移動局の下りリンクの制御信号が多重されたPDCCH SDCCUを分離し、下り制御信号復調部２０７はPDCCH SDCCUを復調して下りリンクの制御信号を再生し、自移動局に対応する移動局識別情報が多重されている再生結果を分離し、下り制御再生信号SDCMUとして出力する（ステップＳ１３）。【０１３４】
下りスケジューリング情報抽出部２０８は、下り制御再生信号SDCMUを入力とし、下りリンクのリソース割り当て情報に対応する下りＲＢ割り当て判定情報 SDSCUを抽出し出力する（ステップＳ１４）。【０１３５】
最大周波数ブロック数抽出部２０９は、下り制御再生信号SDCMUを入力とし、自移動局の最大周波数ブロック受信信号SUDFUを分離し出力し、上りスケジューリング情報抽出部２１０は、最大周波数ブロック受信信号SUDFUから割り当て分解能の値を確認する（ステップＳ１５−２）。【０１３６】
次に、割り当て分解能の値からTree-Basedの木構造を識別し、この木構造において、上りＲＢ割り当て情報が示すＲＢを特定し、上りＲＢ割り当て判定情報SUSCUとして出力する（ステップＳ１６）。【０１３７】
上り制御信号生成部２１１は、上りＲＢ割り当て判定情報SUSCUと下りＣＱＩ情報SDCQUを入力とし、下りＣＱＩ情報SDCQUを上りＲＢ割り当て判定情報SUSCUが示す予め決められた制御信号用のリソースに多重したPhysical Uplink Control Channel(ＰＵＣＣＨ) SUCCUを生成し出力する（ステップＳ１７）。【０１３８】
上りＲＳ信号生成部２１２は、上りＲＢ割り当て判定情報SUSCUを入力とし、上りＲＢ割り当て判定情報SUSCUにおいて、予め決められたＲＳ用のリソースを用いて、上りリンクＲＳ送信信号SURSUを生成し出力する（ステップＳ１８）。【０１３９】
上りデータ信号生成部２１３は、上りＲＢ割り当て判定情報SUSCUを入力とし、上りＲＢ割り当て判定情報SUSCUにおいて、予め決められたデータ信号用のリソースを用いて、Physical Uplink Shared Channel(ＰＵＳＣＨ) SUDCUを生成し出力する（ステップＳ１９）。【０１４０】
多重部２１４は、PUCCH SUCCU、上りリンクＲＳ送信信号SURSU、PUSCH SUDCUおよび下り制御信号判定信号SDAKUを入力とし、これらの信号を多重し、移動局多重信号SMUXUを生成し、送信部２１５が移動局送信信号SMUXUを基地局１００へ送信する（ステップＳ２０）。【０１４１】
尚、上記において、最大周波数ブロック数がUL Scheduling Grantに含める場合を用いて説明したが、最大周波数ブロック数がセル固有に決まる場合、最大周波数ブロック数は、Physical Broadcast Channel(ＰＢＣＨ)またはDynamic Broadcast Channel(ＤＢＣＨ)とよばれるPhysical Downlink Shared Channel(ＰＤＳＣＨ)にマッピングされる信号で通知される。また、UE specificの場合は、ＰＤＳＣＨにマッピングされるHigher layer signallingの情報で通知させる。このような場合には、最大周波数ブロック数は、UL Scheduling Grantに含める必要は無い。【０１４２】
また、上記において、最大周波数ブロック数をUL Scheduling Grantに含める場合を用いて説明したが、最大周波数ブロック数の代わりに割り当て分解能の情報を含めても良い。この場合、上りスケジューリング情報抽出部２１０は、下り制御再生信号SDCMUからUL Scheduling Grantを抽出して割り当て分解能を識別する構成となる。【０１４３】
また、上記において、最大周波数ブロックを上りＣＱＩに応じて決定する場合を用いて説明したが、別の方法で最大周波数ブロックを決定する場合について以下で説明する。【０１４４】
まず、最大周波数ブロック数決定部が、最大の周波数ブロック数を移動局と基地局との位置によって決定する場合の構成について説明する。【０１４５】
図１６は、最大の周波数ブロック数を移動局と基地局との位置によって決定する場合の基地局１００のブロック図である。【０１４６】
基地局１００において、上り制御信号復調部１０９は、PUCCH SUCCBを復調し、複数の移動局が送信した下りリンクのＣＱＩの測定結果である下りＣＱＩ測定信号SUCQBと移動局の位置を示す移動局位置受信情報SULCBを出力する。【０１４７】
最大周波数ブロック数決定部１０５−１は、移動局位置受信情報SULCBを入力とし、移動局位置受信情報SULCBが示す移動局の位置から、それぞれの移動局に割り当てる周波数リソースにおける最大の周波数ブロック数を決定し、それぞれの移動局の最大周波数ブロック信号SUDFBを生成し出力する。具体的には、最大の周波数ブロック数は、基地局から遠いユーザほど小さくなるように決定されて生成される。【０１４８】
図１７は、最大の周波数ブロック数を移動局と基地局との位置によって決定する場合の移動局２００のブロック図である。【０１４９】
移動局２００において、位置測定部４１６は、ＧＰＳ信号衛星からの信号を用いて移動局の位置を測定する機能を有し、ＧＰＳ衛星からの信号を受信し、移動局２００の位置を測定し、移動局位置情報SULCUを生成し出力する。【０１５０】
上り制御信号生成部２１１−１は、上りＲＢ割り当て判定情報SUSCU、下りＣＱＩ情報SDCQUと移動局位置情報SULCUを入力とし、下りＣＱＩ情報SDCQUと移動局位置情報SULCBを、上りＲＢ割り当て判定情報SUSCUが示すリソースにおいて予め決められた制御信号用のリソースを用いてPUCCH SUCCUを生成し出力する。【０１５１】
上記の構成により、最大の周波数ブロック数が小さい移動局には割り当て分解能を小さくしてＲＢを割り当て、最大の周波数ブロック数が大きい移動局には割り当て分解能を大きくしてＲＢを割り当てる。【０１５２】
続いて、最大周波数ブロック数決定部が、移動局において増大可能な送信電力を示したパワーヘッドルームに応じて最大の周波数ブロック数を決定する場合について説明する。【０１５３】
図１８は、最大の周波数ブロック数を移動局において増大可能な送信電力を示したパワーヘッドルームに応じて決定する場合の基地局１００のブロック図である。【０１５４】
基地局１００において、上り送信電力決定部５１７は、上りＣＱＩ情報SUCQBを入力とし、所用受信電力を満たすために必要な、移動局の送信電力値を算出し、上り送信電力設定情報SUPWBとして生成し出力する。【０１５５】
上り制御信号復調部１０９は、上り制御信号SUCCBを復調し、複数の移動局が送信した下りリンクのＣＱＩの測定結果である下りＣＱＩ測定信号SUCQBと移動局パワーヘッドルーム受信情報SUHRBを出力する。【０１５６】
最大周波数ブロック数決定部１０５−２は、パワーヘッドルーム受信情報SUHRBを入力とし、パワーヘッドルーム受信情報SUHRBを基に、それぞれの移動局に割り当てる周波数リソースにおける最大の周波数ブロック数を決定し、移動局の最大周波数ブロック信号SUDFBとして生成し出力する。具体的には、例えば、最大の周波数ブロック数の初期値を１にし、パワーヘッドルーム受信情報SUHRBが示す値が閾値電力PDFUPを(PDFUPは正の実数)を超えていれば、最大の周波数ブロック数の値を１増大させる。パワーヘッドルーム受信情報SUHRBが示す値が０で、最大の周波数ブロック数が２以上であれば、最大の周波数ブロック数の値を１減少させる。即ち、送信電力に余裕があれば、最大の周波数ブロック数を大きくして割り当て可能な周波数ブロック数を増やし、伝搬路依存の周波数スケジューリングにおける利得を増大させる。また、送信電力に余裕がなく、パワーリミテッドな場合には、最大の周波数ブロック数を小さくしてより高い電力密度で信号を送信するようにする。【０１５７】
下り制御信号生成部５１１は、移動局識別情報SUIDB、UL Scheduling Grant SUSCB、DL Scheduling Grant SDSCB、最大周波数ブロック信号SUDFBおよび上り送信電力設定情報SUPWBを入力とし、これらを多重した下りリンクの制御信号を、PDCCH SDCCBとして生成し出力する。【０１５８】
図１９は、最大の周波数ブロック数を移動局において増大可能な送信電力を示したパワーヘッドルームに応じて決定する場合の移動局２００のブロック図である。【０１５９】
移動局２００において、上り送信電力情報抽出部６１６は、下り制御再生信号 SDCMUから、基地局から通知された、移動局における上りリンクの送信電力値が示された上り送信電力設定値受信情報SUPWUを抽出し出力する。【０１６０】
パワーヘッドルーム算出部６１７は、上り送信電力設定値受信情報SUPWUを入力とし、移動局が送信可能な最大送信電力値から上り送信電力設定値受信情報SUPWUを差し引いた値を、移動局パワーヘッドルーム情報SUHRUとして出力する。移動局パワーヘッドルーム情報SUHRUは、上り送信電力設定値受信情報SUPWUが示す電力で送信後において、移動局が更に送信可能な余剰電力を示す。【０１６１】
上り制御信号生成部２１１−２は、上りＲＢ割り当て判定情報SUSCU、下りＣＱＩ情報SDCQUと移動局パワーヘッドルーム情報SUHRUを入力とし、下りＣＱＩ情報SDCQUと移動局パワーヘッドルーム情報SUHRUを、上りＲＢ割り当て判定情報SUSCUが示すリソースにおいて予め決められた制御信号用のリソースを用いて、PUCCH SUCCUを生成し出力する。【０１６２】
上記の構成により、最大の周波数ブロック数が小さい移動局には、割り当て分解能を小さくしてＲＢを割り当て、最大の周波数ブロック数が大きい移動局には、割り当て分解能を大きくしてＲＢを割り当てる【０１６３】
上記の通り、本実施の形態によると、Tree-Basedにおいて、最大の周波数ブロック数が小さい移動局には割り当て分解能を小さくしてＲＢの割り当てを行い、最大の周波数ブロック数が大きい移動局には割り当て分解能を大きくしてＲＢの割り当てを行っているため、周波数ブロック数の増大に伴うシグナリング量の増大を防ぐことが出来る。【０１６４】
<第４の実施の形態>
上記第１及び第２の実施の形態ではスケジュール部が決定した周波数ブロック数に応じて割り当て分解能を決定する場合について説明し、第３の実施の形態では最大周波数ブロック数決定部が決定した最大周波数ブロックの数に応じて割り当て分解能を決定する場合について説明した。本実施の形態では、上記実施の形態によって割り当てられたリソースブロックの並びを確認し、割り当てたリソースブロックを示す情報を決定したビット数より少ないビット数で送信できる場合には少ないビット数で送信することを特徴とする。尚、上記実施の形態と同様の構成については同一番号を付し、詳細な説明は省略する。【０１６５】
例えば、周波数ブロック数又は最大周波数ブロック数が１とされた場合、図３の対応表を用いると、割り当て分解能は１と設定される。このとき、スケジュール部が周波数ブロック数が１で、割り当て分解能を１としてリソースブロックを割り当てた結果が、図２０に示すように“２”、“３”、“４”、“５”の位置のリソースブロックが割り当てられたとする。この場合、上記実施の形態では、１〜５５（６bits）における“３２”の値を用いてTree-Basedで表記することになる。【０１６６】
しかしながら、実際には、図２１に示すように、４bitsで表記可能な１〜１５における“６”の値を用いてTree-Basedで表記することができる。即ち、少ないビット数でリソースブロックの割り当てをTree-Basedで表記することができる。【０１６７】
本実施の形態の上りスケジューリング部１０４は、割り当てたリソースブロックの並びを確認し、割り当てたリソースブロックを示す情報を決定したビット数より少ないビット数で送信できる場合には、１度決定された割り当て分解能の値を更新し、更新した割り当て分解能の値に応じたビット数でUL Scheduling Grantを出力する。【０１６８】
続いて、本実施の形態の動作を図２２のフローを用いて説明する。尚、以下の説明では、第１の実施の形態を基にして説明するが、第３の実施の形態に基づいても良い。【０１６９】
基地局１００の受信部１０１は、移動局２００からの信号を受信し、ガードインターバルを用いて上りリンクの同期を確立し、基地局受信信号SRXBを出力する（ステップＳ１）。【０１７０】
出力された基地局受信信号SRXBから、上りＲＳ（Reference Signal）分離部１０２は、複数の移動局の上りリンクのＲＳ信号が多重された上りＲＳ信号SURSBを分離し出力する（ステップＳ２）。【０１７１】
複数の移動局の上りＲＳ信号SURSBから、上りＣＱＩ測定部１０３がそれぞれの移動局におけるＲＢ毎のＣＱＩ（Channel Quality Indicator）を算出し、上りＣＱＩ情報SUCQBとして出力する（ステップＳ３）。【０１７２】
上りスケジュール部１０４は、移動局毎の上りＣＱＩ情報SUCQBに基づいて、各移動局に割り当てるリソースにおける周波数ブロックの数を決定する（ステップＳ４）。自装置において保持している図３のような対応表を用いて、決定した周波数ブロックの数に対応付けられている割り当て分解能を決定する（ステップＳ５）。【０１７３】
決定された割り当て分解能の個数ずつのリソ-スブロックで且つ決定された周波数ブロックの数でＲＢを割り当てる（ステップＳ６）。【０１７４】
割り当てたＲＢの並びから、割り当てたリソースブロックを示す情報を決定したビット数より少ないビット数で送信できるかを判定する（ステップS２１）。割り当てたリソースブロックを示す情報を決定したビット数より少ないビット数で送信できる場合には、１度決定された割り当て分解能の値を更新し、UL Scheduling Grantのビット数を更新した割り当て分解能に応じたビット数になるように設定する（ステップＳ２２）。一方、割り当てたリソースブロックを示す情報を決定したビット数より少ないビット数で送信できない場合には、ステップＳ７−１へ。【０１７５】
次に、上りスケジュール部１０４は、割り当てたＲＢの位置を示すスケジューリング情報と割り当て分解能の値とをUL Scheduling Grant SUSCBとして設定されたビット数で出力し、周波数ブロック数をSUDFBとして出力する（ステップＳ７−１）。【０１７６】
下り制御信号生成部１１１は、UL Scheduling Grant SUSCB、DL Scheduling Grant SDSCB、移動局識別情報SUIDBおよび周波数ブロック信号SUDFBが入力され、これら入力された信号を多重した下りリンクの制御信号をＰＤＣＣＨ(Physical Downlink Control Channel) SDCCBとして生成し出力する（ステップＳ８）。【０１７７】
下りＲＳ信号生成部１１２は、下りリンクのＲＳ信号を下りＲＳ信号SDRSBとして生成し、下りデータ信号生成部１１３はDL Scheduling Grant SDSCBが示すＲＢパターンに従って、複数の移動局の下りリンクのデータ信号を多重し、Physical Downlink Shared Channel(ＰＤＳＣＨ) SDDCBを生成し出力する（ステップＳ９）。【０１７８】
多重部１１４は、PDCCH SDCCB、ＲＳ信号SDRSBおよびPDSCH SDDCBを入力とし、これらの信号を多重し、下り多重信号SMUXBとして生成し、送信部１１５は下り多重信号SMUXBから送信信号STXBを生成し送信する（ステップＳ１０）。【０１７９】
移動局２００の受信部２０１は、基地局１００からの信号を受信し、ガードインターバルを用いて下りリンクの同期を確立し、移動局受信信号SRXUを出力する（ステップＳ１１）。【０１８０】
下りＲＳ（Reference Signal）信号分離部２０２は、移動局受信信号SRXUを入力とし、下りリンクのＲＳ信号が多重された下りＲＳ信号SDRSUを分離し出力し、下りＣＱＩ測定部２０３は下りＲＳ信号SDRSUからＲＢ毎のＣＱＩを算出し、下りＣＱＩ情報SDCQUとして出力する（ステップＳ１２）。【０１８１】
下り制御信号分離部２０６は、移動局受信信号SRXUを入力とし、複数の移動局の下りリンクの制御信号が多重されたPDCCH SDCCUを分離し、下り制御信号復調部２０７はPDCCH SDCCUを復調して下りリンクの制御信号を再生し、自移動局に対応する移動局識別情報が多重されている再生結果を分離し、下り制御再生信号SDCMUとして出力する（ステップＳ１３）。【０１８２】
下りスケジューリング情報抽出部２０８は、下り制御再生信号SDCMUを入力とし、下りリンクのリソース割り当て情報に対応する下りＲＢ割り当て判定情報 SDSCUを抽出し出力する（ステップＳ１４）。【０１８３】
上りスケジューリング情報抽出部２１０は、下り制御再生信号SDCMUから、上りリンクのＲＢが割り当てられた情報を示すUL Scheduling Grantを抽出して割り当て分解能の値を確認する（ステップＳ１５）。【０１８４】
次に、割り当て分解能の値からTree-Basedの木構造を識別し、この木構造において、上りＲＢ割り当て情報が示すＲＢを特定し、上りＲＢ割り当て判定情報SUSCUとして出力する（ステップＳ１６）。【０１８５】
上り制御信号生成部２１１は、上りＲＢ割り当て判定情報SUSCUと下りＣＱＩ情報SDCQUを入力とし、下りＣＱＩ情報SDCQUを上りＲＢ割り当て判定情報SUSCUが示す予め決められた制御信号用のリソースに多重したPhysical Uplink Control Channel(ＰＵＣＣＨ) SUCCUを生成し出力する（ステップＳ１７）。【０１８６】
上りＲＳ信号生成部２１２は、上りＲＢ割り当て判定情報SUSCUを入力とし、上りＲＢ割り当て判定情報SUSCUにおいて、予め決められたＲＳ用のリソースを用いて、上りリンクＲＳ送信信号SURSUを生成し出力する（ステップＳ１８）。【０１８７】
上りデータ信号生成部２１３は、上りＲＢ割り当て判定情報SUSCUを入力とし、上りＲＢ割り当て判定情報SUSCUにおいて、予め決められたデータ信号用のリソースを用いて、Physical Uplink Shared Channel(ＰＵＳＣＨ) SUDCUを生成し出力する（ステップＳ１９）。【０１８８】
多重部２１４は、PUCCH SUCCU、上りリンクＲＳ送信信号SURSU、PUSCH SUDCUおよび下り制御信号判定信号SDAKUを入力とし、これらの信号を多重し、移動局多重信号SMUXUを生成し、送信部２１５が移動局送信信号SMUXUを基地局１００へ送信する（ステップＳ２０）。【０１８９】
尚、上記説明では、決定された割り当て分解能でリソースブロックを割り当てた後に、割り当てたリソースブロックを示す情報を少ないビット数で送信できるかを確認する構成を用いて説明したが、ただ単に、リソースブロックを割り当てた後に、割り当てたリソースブロックを示す情報を少ないビット数で送信できるかを確認する構成であっても良い。【０１９０】
本実施の形態によると、割り当てられたリソースブロックの並びを確認し、割り当てたリソースブロックを示す情報を決定したビット数より少ないビット数で送信できるかを確認しているので、UL Scheduling Grantを確実に少ないビット数で送信することができる。【０１９１】
尚、上述した各実施の形態では、上りリンクのリソースブロックを割り当てる形態を用いて説明したが、下りリンクのリソースブロックを割り当てる形態であってもよい。このような場合、周波数ブロック数又は最大周波数ブロック数は、例えば、セルサイズ、システム帯域幅、基地局のカバレッジ、下りリファレンス信号により測定された伝搬路品質情報、下りデータ信号の帯域幅、下りデータ信号の変調多値数や符号化率等の通信環境によって変化する情報であっても良い。また、上記のセルサイズは、基地局の位置、基地局間の距離、干渉電力等の通信環境に影響を与える情報によって決定されるため、これらの情報を用いて周波数ブロック数を選択しても良い。【０１９２】
また、上りリンクのリソースブロックを割り当てる形態と下りリンクのリソースブロックを割り当てる形態とを組み合わせて実行する形態であっても良い。【０１９３】
また、上述した本発明の移動局と基地局とは、上記説明からも明らかなように、ハードウェアで構成することも可能であるが、コンピュータプログラムにより実現することも可能である。【０１９４】
プログラムメモリに格納されているプログラムで動作するプロセッサによって、上述した実施の形態と同様の機能、動作を実現させる。尚、上述した実施の形態の一部の機能をコンピュータプログラムにより実現することも可能である。【０１９５】
以上、実施形態を参照して本願発明を説明したが、本願発明は上記実施形態に限定されるものではない。本願発明の構成や詳細には、本願発明の範囲内で当業者が理解し得る様々な変更をすることが出来る。【０１９６】
本出願は、２００８年６月２０日に出願された日本出願特願２００８−１６１７５２号を基礎とする優先権を主張し、その開示の全てをここに取り込む。
【図１】
0005440802.tif 000003
【図２】
0005440802.tif 000004
【図３】
0005440802.tif 000005
【図４】
0005440802.tif 000006
【図５】
0005440802.tif 000007
【図６】
0005440802.tif 000008
【図７】
0005440802.tif 000009
【図８】
0005440802.tif 000010
【図９】
0005440802.tif 000011
【図１０】
0005440802.tif 000012
【図１１】
0005440802.tif 000013
【図１２】
0005440802.tif 000014
【図１３】
0005440802.tif 000015
【図１４】
0005440802.tif 000016
【図１５】
0005440802.tif 000017
【図１６】
0005440802.tif 000018
【図１７】
0005440802.tif 000019
【図１８】
0005440802.tif 000020
【図１９】
0005440802.tif 000021
【図２０】
0005440802.tif 000022
【図２１】
0005440802.tif 000023
【図２２】
0005440802.tif 000024
【図２３】
0005440802.tif 000025